(57)【要約】【課題】  強度が確保され、左右の手摺りの間隔を調整することができる便器手摺りの取付構造を提供する。【解決手段】  便器本体１上の、局部洗浄装置を内装した機能ボックス３から立ち上げて左右の手摺りフレーム５，６を設け、この左右の手摺りフレーム５，６の下端側の挿入部５ａ，６ｂは、機能ボックス３内に挿入されて回り止め固定されているとともに、左右の手摺りフレーム５，６の上端側の連結部５ｂ，６ｂは、便座上で上端側連結部７により連結されている。【選択図】  図２
2006247147.tif 000002
【特許請求の範囲】
【請求項１】
便器本体上の局部洗浄装置を内装したボックスから立ち上げて左右の手摺りフレームを設け、該左右の手摺りフレームの下端側は、前記ボックス内に挿入されて回り止め固定されているとともに、左右の手摺りフレームの上端側は便座上で連結されていることを特徴とする便器手摺りの取付構造。
【請求項２】
前記左右の手摺りフレームの間隔を調整可能に、少なくとも前記左右の手摺りフレームの上端側連結部の長さが調整可能に構成されていることを特徴とする請求項１に記載の便器手摺りの取付構造。
【発明の詳細な説明】
【技術分野】
【０００１】
本発明は、便器を使用する際に、身体を支えることのできる便器手摺りの取付構造に関するものである。
【背景技術】
【０００２】
従来、特許文献１に開示されているような、便器の後部に固定される便器装置に、手摺り又はグリップを設けた構造が存在する。
【特許文献１】特開２０００−７０１８４号公報
【発明の開示】
【発明が解決しようとする課題】
【０００３】
従来の特許文献１に開示されているような構造では、左右の手摺り部がそれぞれ別パーツとなっているため、変形，ガタが発生しやすいという問題点があった。
また、位置が固定されたものとなっており、左右の手摺りの間隔を調整することは困難であり、使い勝手が悪いという問題点があった。
【課題を解決するための手段】
【０００４】
本発明は上記従来の問題点に鑑み案出したものであって、変形，ガタの生じない強固な取付状態が確保でき、また、左右の手摺りの間隔を調整可能な便器手摺りの取付構造を提供するものであり、その請求項１は、便器本体上の局部洗浄装置を内装したボックスから立ち上げて左右の手摺りフレームを設け、該左右の手摺りフレームの下端側は、前記ボックス内に挿入されて回り止め固定されているとともに、左右の手摺りフレームの上端側は便座上で連結されていることである。
【０００５】
また請求項２は、前記左右の手摺りフレームの間隔を調整可能に、少なくとも前記左右の手摺りフレームの上端側連結部の長さが調整可能に構成されていることである。
【発明の効果】
【０００６】
本発明の便器手摺りの取付構造は、ボックスから立ち上げて左右の手摺りフレームを設け、左右の手摺りフレームの下端側は、ボックス内に挿入されて回り止め固定されているとともに、左右の手摺りフレームの上端側は便座上で連結されていることにより、左右の手摺りフレームの下端側はボックス内に挿入されて強固に固定されており、また左右の手摺りフレームの上端側も連結されているため、手摺り全体の剛性が高まり、変形，ガタが発生しない強固な手摺りの取付構造となる。
【０００７】
また、左右の手摺りフレームの間隔を調整可能に構成されていることにより、左右の手摺りフレームの上端が連結されているため剛性が出るとともに、上端側連結部で連結長さを調整して、左右の手摺りフレーム間隔を適宜調整することができ、使い勝手が良好なものとなる。
【実施例】
【０００８】
以下、本発明の実施例を図面に基づいて説明する。
図１は、便器に手摺りを設置した状態の概略斜視構成図であり、図２は、便座を取り外した状態の内部構造を示す斜視構成図である。
【０００９】
便器本体１上には、開閉可能に便座２が設けられ、便座２の後方の便器本体１上には、局部洗浄装置を内蔵した機能ボックス３が固定されており、この機能ボックス３に下端を挿入した状態で、左手摺りフレーム５と右手摺りフレーム６が左右側に立ち上げ状に設置されている。
左手摺りフレーム５は、下端に略９０°折り曲げて挿入部５ａが形成されており、また上端側には略９０°折り曲げて、挿入部５ａと略平行状に連結部５ｂが一体形成されている。
【００１０】
例えば図３の要部縦断面図で示すように、便器本体１上にボルト１０を介して固定された機能ボックス３の底面３ａ内側に補強プレート９を設け、この補強プレート９に機能ボックス３の内部で左支持金具４ａを固設しておき、この左支持金具４ａに対し、左手摺りフレームの挿入部５ａの先端側に形成された四角形状の四角係合凸部５ｃを挿入して連結することができる。
なお、機能ボックス３内部の左支持金具４ａに、挿入部５ａの挿入長さを適宜調整して連結することができ、左支持金具４ａには、例えば四角形状の挿入孔を形成させておき、この四角形状の挿入孔内に挿入部５ａの先端側に形成された四角形状の四角係合凸部５ｃを挿入させて、良好に回り止めした状態で挿入部５ａを固定することができる。
【００１１】
なお、更には、補強プレート９の左端に一体状に立ち上げて立上片部９ａを形成させておき、この立上片部９ａにも挿入孔を形成させておき、立上片部９ａの挿入孔内に挿入部５ａを通し、更に前述した如く、左支持金具４ａに挿入部５ａの先端の四角係合凸部５ｃを挿入するように構成しておけば、より挿入部５ａの取付状態が強固なものとなる。
【００１２】
なお、機能ボックス３内の右部位にも同様に、右支持金具４ｂが固設されており、この右支持金具４ｂに対し、右手摺りフレーム６の下端の挿入部６ａを適宜挿入長さを調整し、回り止めした状態で挿着できる。
また、右手摺りフレーム６の上端にも、左手摺りフレーム５と同様に折り曲げ状に連結部６ｂが形成されており、左手摺りフレーム５と右手摺りフレーム６は、同一形状のもので構成しておくことができる。
なお、左手摺りフレーム５及び右手摺りフレーム６には、上下方向に回動可能に肘掛けアーム８，８を設けておくことができる。
【００１３】
左手摺りフレーム５と右手摺りフレーム６の上端側の連結部５ｂ，６ｂは、それぞれ先端が挿入長さを調整して上端側連結部７内に挿入されており、この上端側連結部７で左手摺りフレーム５と右手摺りフレーム６の上端が連結されたものとなっている。
なお、上端側連結部７内にも、四角形状の挿入孔が形成されており、この四角形状の挿入孔内に、連結部５ｂ，６ｂの先端にそれぞれ形成された四角形状の四角係合凸部５ｄ，６ｄが挿入されて、回り止めされた状態で連結されるものである。
【００１４】
このように、左手摺りフレーム５及び右手摺りフレーム６の下端の挿入部５ａ，６ｂを、それぞれ機能ボックス３内に固設された左支持金具４ａ，右支持金具４ｂに挿入させて固定し、挿入長さを深くすることができるため、強固に左手摺りフレーム５及び右手摺りフレーム６を取り付けることができ、更に、上端側も上端側連結部７で連結されているため、全体の剛性が確保されて強固な取付構造となり、使用者が便器に着座する際等に、身体を良好に支えることができるものとなる。
また、便座２上に着座した状態で、肘掛けアーム８，８に肘を掛けて、リラックスした状態で便器を使用することができるものとなる。
【００１５】
なお、本例では、下端側の挿入部５ａ，６ａの挿入長さを調整することができ、しかも、上端側連結部７に対する連結部５ｂ，６ｂの挿入長さを適宜調整することで、左手摺りフレーム５と右手摺りフレーム６間の間隔を適宜調整することができ、使用者の体格等に合わせて適宜間隔を調整して、より良好な使用状態が得られるものとなる。
【００１６】
なお、図４は変更例を示す概略図であり、図４では、機能ボックス３に上方へ膨出状に膨出部３ｃを一体形成させておき、この膨出部３ｃに、四角凹部１１ａを有する取付部１１を固定させ、この取付部１１に対し受け部材１２を挿し込んで固定し、この受け部材１２に対し、手摺りフレーム５または６の下端の挿入部５ａ，６ａを挿入できるように構成したものである。
【００１７】
なお、受け部材１２は、円筒状の円筒部１２ａの先端に、四角凹部１１ａに嵌まり込む四角筒部１２ｂが一体形成されている。また、挿入部５ａまたは６ａの先端には、受け部材１２の四角筒部１２ｂ内に嵌まり込む四角形状の四角係合凸部６ｃが突出形成されている。
従って、機能ボックス３側の取付部１１に、予め受け部材１２を回り止め状態で固定しておき、この受け部材１２の円筒部１２ａ内に、手摺りフレームの挿入部５ａ，６ａを挿入させ、更に受け部材１２の四角筒部１２ｂ内に四角係合凸部５ｃまたは６ｃを嵌めこむことで、回り止めされた状態で手摺りフレーム５または６が固定されるものである。
【００１８】
なお、受け部材１２の四角筒部１２ｂの長さを相当長くしておけば、四角係合凸部５ｃまたは６ｃの挿入長さをより広い範囲で調整できるものとなり、左右の手摺りフレーム５，６間の調整幅が広がるものとなる。
【００１９】
なお、本例では、四角形状の凹部１１ａと係合凸部５ｃまたは６ｃとの嵌め合いで、回り止めを行うような構造を例示しているが、四角形状に限らず、多角形状の嵌め合い構造であれば、良好に周り止め機能を達成することができるものである。
【００２０】
なお、前記上端側連結部７は、その外周にクッション材を設けておけば、便器上に着座した状態で、この上端側連結部７に使用者が頭部を当てて、ヘッドレストとして有効に使用することができるものとなる。
【図面の簡単な説明】
【００２１】
【図１】便器に手摺りを設置した状態の概略斜視構成図である。
【図２】便座を取り外した状態の内部構造を示す斜視構成図である。
【図３】左側の手摺りフレームの下端の固定状態を示す縦断面要部拡大構成図である。
【図４】手摺りフレームの下端の取付構造の変更例を示す分解斜視図である。
【符号の説明】
【００２２】
１  便器本体
２  便座
３  機能ボックス
３ｂ  側面
４ａ  左支持金具
４ｂ  右支持金具
５  左手摺りフレーム
５ａ  挿入部
５ｂ  連結部
５ｃ，５ｄ  四角係合凸部
６  右手摺りフレーム
６ａ  挿入部
６ｂ  連結部
６ｃ，６ｄ  四角係合凸部
７  上端側連結部
８  肘掛けアーム
９  補強プレート
１０  ボルト
１１  取付部
１１ａ  四角凹部
１２  受け部材
１２ａ  円筒部
１２ｂ  四角筒部
【図１】
2006247147.tif 000003
【図２】
2006247147.tif 000004
【図３】
2006247147.tif 000005
【図４】
2006247147.tif 000006